【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
第１の画像処理装置、第２の画像処理装置、及びサーバを含む画像処理システムであって、
前記第１の画像処理装置は、
前記第１の画像処理装置が有する複数の機能を実行することが定義されたスクリプトを前記サーバから受信する第１の受信手段と、
前記第１の受信手段が受信したスクリプトに定義された前記複数の機能を順次実行する第１の実行手段と、を備え、
前記第２の画像処理装置は、
前記第２の画像処理装置が有する複数の機能を外部に公開するサービスプロバイダ宛てに前記サーバから送信される前記複数の機能毎の制御情報を受信する第２の受信手段と、
前記第２の受信手段が受信した前記制御情報に従って前記複数の機能を実行する第２の実行手段と、を備え、
前記サーバは、
前記第１の画像処理装置に対して前記スクリプトを送信する第１の送信手段と、
前記第２の画像処理装置に対して前記制御情報を送信する第２の送信手段と、
を備えることを特徴とする画像処理システム。
【請求項２】
前記サーバは、
画像処理装置から送信される情報に基づいて、当該画像処理装置が前記第１の画像処理装置であるか前記第２の画像処理装置であるかを判断する判断手段を更に備え、
前記判断手段による判断の結果に応じて、前記第１の送信手段による前記スクリプトの送信または前記第２の送信手段による前記制御情報の送信を行うことを特徴とする請求項１に記載の画像処理システム。
【請求項３】
前記情報は、該情報を送信する画像処理装置が有する構成を示す情報であることを特徴とする請求項２に記載の画像処理システム。
【請求項４】
前記第１の実行手段または前記第２の実行手段が実行する複数の機能は、原稿を読み取るスキャン機能及び当該スキャン機能を実行することによって得られた画像データを送信する送信機能を含むことを特徴とする請求項１乃至３のいずれか１項に記載の画像処理システム。
【請求項５】
複数の機能が定義されたスクリプトを受信する第１の受信手段と、前記第１の受信手段が受信したスクリプトに定義された前記複数の機能を順次実行する第１の実行手段とを備える第１の画像処理装置、及び、複数の機能を外部に公開するサービスプロバイダ宛てに送信される前記複数の機能毎の制御情報を受信する第２の受信手段と、前記第２の受信手段が受信した前記制御情報に従って前記複数の機能を実行する第２の実行手段とを備える第２の画像処理装置と通信可能なサーバであって、
前記第１の画像処理装置に対して前記スクリプトを送信する第１の送信手段と、
前記第２の画像処理装置に対して前記制御情報を送信する第２の送信手段と、
を備えることを特徴とするサーバ。
【請求項６】
画像処理装置から送信される情報に基づいて、当該画像処理装置が前記第１の画像処理装置であるか前記第２の画像処理装置であるかを判断する判断手段を更に備え、
前記判断手段による判断の結果に応じて、前記第１の送信手段による前記スクリプトの送信または前記第２の送信手段による前記制御情報の送信を行うことを特徴とする請求項５に記載のサーバ。
【請求項７】
前記情報は、該情報を送信する画像処理装置が有する構成を示す情報であることを特徴とする請求項６に記載のサーバ。
【請求項８】
前記第１の実行手段または前記第２の実行手段が実行する複数の機能は、原稿を読み取るスキャン機能及び当該スキャン機能を実行することによって得られた画像データを送信する送信機能を含むことを特徴とする請求項５乃至７のいずれか１項に記載のサーバ。
【請求項９】
複数の機能が定義されたスクリプトを送信する第１の動作モードと、前記複数の機能を外部に公開するサービスプロバイダ宛てに当該複数の機能毎の制御情報を送信する第２の動作モードとを有するサーバであって、
実行する動作モードを決定する決定手段と、
前記決定手段により前記第１の動作モードを実行すると決定された場合に、前記複数の機能が定義されたスクリプトを送信する第１の送信手段と、
前記決定手段により前記第２の動作モードを実行すると決定された場合に、前記サービスプロバイダ宛てに前記複数の機能毎の制御情報を送信する第２の送信手段と、
を備えることを特徴とするサーバ。
【請求項１０】
前記決定手段は、通信相手の画像処理装置から送信される情報に基づいて前記動作モードの決定を行うことを特徴とする請求項９に記載のサーバ。
【請求項１１】
前記情報は、該情報を送信する画像処理装置が有する構成を示す情報であることを特徴とする請求項１０に記載のサーバ。
【請求項１２】
前記複数の機能は、原稿を読み取るスキャン機能及び当該スキャン機能を実行することによって得られた画像データを送信する送信機能を含むことを特徴とする請求項９乃至１１のいずれか１項に記載のサーバ。
【請求項１３】
第１の画像処理装置において、
第１の受信手段が、前記第１の画像処理装置が有する複数の機能を実行することが定義されたスクリプトをサーバから受信する第１の受信工程と、
第１の実行手段が、前記第１の受信工程で受信したスクリプトに定義された前記複数の機能を順次実行する第１の実行工程と、を含み、
第２の画像処理装置において、
第２の受信手段が、前記第２の画像処理装置が有する複数の機能を外部に公開するサービスプロバイダ宛てに前記サーバから送信される前記複数の機能毎の制御情報を受信する第２の受信工程と、
第２の実行手段が、前記第２の受信工程で受信した前記制御情報に従って前記複数の機能を実行する第２の実行工程と、を含み、
前記サーバにおいて、
第１の送信手段が、前記第１の画像処理装置に対して前記スクリプトを送信する第１の送信工程と、
第２の送信手段が、前記第２の画像処理装置に対して前記制御情報を送信する第２の送信工程と、
を含むことを特徴とする画像処理方法。
【請求項１４】
自装置が有する複数の機能が定義されたスクリプトを受信する第１の受信手段と、前記第１の受信手段が受信したスクリプトに定義された前記複数の機能を順次実行する第１の実行手段とを備える第１の画像処理装置、及び、自装置が有する複数の機能を外部に公開するサービスプロバイダ宛てに送信される前記複数の機能毎の制御情報を受信する第２の受信手段と、前記第２の受信手段が受信した前記制御情報に従って前記複数の機能を実行する第２の実行手段とを備える第２の画像処理装置と通信可能なサーバの制御方法であって、
第１の送信手段が、前記第１の画像処理装置に対して前記スクリプトを送信する第１の送信工程と、
第２の送信手段が、前記第２の画像処理装置に対して前記制御情報を送信する第２の送信工程と、
を含むことを特徴とするサーバの制御方法。
【請求項１５】
複数の機能が定義されたスクリプトを送信する第１の動作モードと、前記複数の機能を外部に公開するサービスプロバイダ宛てに当該複数の機能毎の制御情報を送信する第２の動作モードとを有するサーバの制御方法であって、
決定手段が、実行する動作モードを決定する決定工程と、
第１の送信手段が、前記決定工程で前記第１の動作モードを実行すると決定された場合に、前記複数の機能が定義されたスクリプトを送信する第１の送信工程と、
第２の送信手段が、前記決定工程で前記第２の動作モードを実行すると決定された場合に、前記サービスプロバイダ宛てに前記複数の機能毎の制御情報を送信する第２の送信工程と、
を含むことを特徴とするサーバの制御方法。
【請求項１６】
コンピュータを請求項５乃至１２のいずれか１項に記載のサーバの各手段として機能させるためのプログラム。
【手続補正２】
【補正対象書類名】明細書
【補正対象項目名】発明の名称
【補正方法】変更
【補正の内容】
【発明の名称】画像処理システム、サーバ、画像処理方法、サーバの制御方法、及びプログラム
【手続補正３】
【補正対象書類名】明細書
【補正対象項目名】０００１
【補正方法】変更
【補正の内容】
【０００１】
本発明は、サーバと画像処理装置が連携して複数の機能を実行する画像処理システムに関するものである。
【手続補正４】
【補正対象書類名】明細書
【補正対象項目名】０００７
【補正方法】変更
【補正の内容】
【０００７】
本発明は、上述の問題に鑑みて成されたものであり、画像処理装置の構成に応じて、当該画像処理装置に機能を実行させる際の動作モードを動的に変更する仕組みを提供することを目的とする。
【手続補正５】
【補正対象書類名】明細書
【補正対象項目名】０００８
【補正方法】変更
【補正の内容】
【０００８】
本発明の画像処理システムは、第１の画像処理装置、第２の画像処理装置、及びサーバを含む画像処理システムであって、前記第１の画像処理装置は、前記第１の画像処理装置が有する複数の機能を実行することが定義されたスクリプトを前記サーバから受信する第１の受信手段と、前記第１の受信手段が受信したスクリプトに定義された前記複数の機能を順次実行する第１の実行手段と、を備え、前記第２の画像処理装置は、前記第２の画像処理装置が有する複数の機能を外部に公開するサービスプロバイダ宛てに前記サーバから送信される前記複数の機能毎の制御情報を受信する第２の受信手段と、前記第２の受信手段が受信した前記制御情報に従って前記複数の機能を実行する第２の実行手段と、を備え、前記サーバは、前記第１の画像処理装置に対して前記スクリプトを送信する第１の送信手段と、前記第２の画像処理装置に対して前記制御情報を送信する第２の送信手段とを備えることを特徴とする。
【手続補正６】
【補正対象書類名】明細書
【補正対象項目名】０００９
【補正方法】変更
【補正の内容】
【０００９】
また、本発明のサーバは、複数の機能が定義されたスクリプトを受信する第１の受信手段と、前記第１の受信手段が受信したスクリプトに定義された前記複数の機能を順次実行する第１の実行手段とを備える第１の画像処理装置、及び、複数の機能を外部に公開するサービスプロバイダ宛てに送信される前記複数の機能毎の制御情報を受信する第２の受信手段と、前記第２の受信手段が受信した前記制御情報に従って前記複数の機能を実行する第２の実行手段とを備える第２の画像処理装置と通信可能なサーバであって、前記第１の画像処理装置に対して前記スクリプトを送信する第１の送信手段と、前記第２の画像処理装置に対して前記制御情報を送信する第２の送信手段とを備えることを特徴とする。また、本発明のサーバは、複数の機能が定義されたスクリプトを送信する第１の動作モードと、前記複数の機能を外部に公開するサービスプロバイダ宛てに当該複数の機能毎の制御情報を送信する第２の動作モードとを有するサーバであって、実行する動作モードを決定する決定手段と、前記決定手段により前記第１の動作モードを実行すると決定された場合に、前記複数の機能が定義されたスクリプトを送信する第１の送信手段と、前記決定手段により前記第２の動作モードを実行すると決定された場合に、前記サービスプロバイダ宛てに前記複数の機能毎の制御情報を送信する第２の送信手段とを備えることを特徴とする。
【手続補正７】
【補正対象書類名】明細書
【補正対象項目名】００１０
【補正方法】変更
【補正の内容】
【００１０】
本発明によれば、画像処理装置の構成に応じて、当該画像処理装置に機能を実行させる際の動作モードを動的に変更することができる。